(57)【要約】【課題】  耐用性を有し、年を経るにつれて味わいのある落ち着いた感じに変わっていくものにする共とに、ふだに文字を付すという画一的な既存の概念とは明らかに異なる金属製表札の開発。【解決手段】氏又は名称を示す文字部分３と、文字部分を装飾する装飾部分４とからなり、文字部分と装飾部分が連続する真鍮製の鋳造品であることを特徴とする金属製表札。装飾部分は茎７を有する植物を模擬したもので、鍛造調に波打つ凹凸を茎の表面に付けてある。【選択図】      図４
0003115870.tif 000002
【実用新案登録請求の範囲】
【請求項１】
氏又は名称を示す文字部分（３）と、文字部分を装飾する装飾部分（４）とからなり、文字部分と装飾部分が連続する真鍮製の鋳造品であることを特徴とする金属製表札。
【請求項２】
装飾部分（４）は茎（７）を有する植物を模擬したもので、鍛造調に波打つ凹凸を茎の表面に付けてあることを特徴とする請求項１記載の金属製表札。
【考案の詳細な説明】
【技術分野】
【０００１】
本考案は、居住者の氏、名称を表示する金属製表札に関する。
【背景技術】
【０００２】
来訪者は表札から、居住者を確認するだけでなく居住者の好み等の個性を推察することもあるので、表札は重要である。一般的な表札としては、四角形のふだの上に文字を付したものが知られているが、近頃ではふだの形も多様なものや、色々な装飾を施したものも作られている。
【考案の開示】
【考案が解決しようとする課題】
【０００３】
そこで本考案者は以下の観点から今までにない表札を作ることに着手し、完成した。即ち、表札は通常であれば長年に亘って継続して使用されるので、耐用性が要求される。また、年を経るにつれて味わいのある落ち着いた感じに変わっていくものにする。さらに、ふだに文字を付すという画一的な既存の概念とは明らかに異なるものにする。
【課題を解決するための手段】
【０００４】
本考案は、文字のみからなる文字部分と、文字部分を装飾する装飾部分とからなり、文字部分と装飾部分が連続する真鍮製の鋳造品であることを特徴とする。
【０００５】
また、装飾部分は茎を有する植物を模擬したもので、鍛造調に波打つ凹凸を茎の表面に付けてあることを特徴とする。
【考案の効果】
【０００６】
本考案の金属製表札は真鍮の鋳造品であるので鋳造品独特の質感が得られることに加え、腐食に強くて耐用年数が長く、長年に亘って使用される特質のある表札に適当である。また、経年変化によって緑青が出てきて、重厚感が増し、落ち着きのある味わい深い趣となる。さらに、文字部分と装飾部分を連続した形態なので、ふだに文字を付す通常の表札とは外観上明らかに異なっており、新鮮なイメージを与える。
【０００７】
また、装飾部分が植物を模擬したものであるので、見た目に安らぎを与え、その上、茎の表面の鍛造調に波打つ凹凸によって、力強さだけでなく立体感を一段と与える。
【考案を実施するための最良の形態】
【０００８】
金属製表札１は図４に示すように氏を示す複数の文字２からなる文字部分３と、植物を模擬した装飾部分４を平面的に連続した真鍮製の鋳造品で、全体の厚みを約１０ｍｍに形成してある。なお、真鍮以外の金属、例えばアルミなどを材料としても良い。
【０００９】
文字部分３は氏、名称等からなるもので、約７ｍｍの厚肉の各文字２の下側を装飾部分４に別々に連続したものである。なお、図示しないが、文字部分３は複数の文字を連続したものであっても良い。
【００１０】
装飾部分４は、文字部分３を連続する横棒状の台座５の下に葡萄模擬部６を連続したものである。葡萄模擬部６は、茎７、葉８、及び果実９とからなり、台座５の下側に茎７を部分的に連続すると共に、茎７に葉８と果実９を連続してある。茎７の表面には、鍛造調に波打つ凹凸を付けてある。葉８は茎７の表面に載る状態で連続し、果実９は同様に茎７の表面に載る状態で連続したり、茎７からぶら下がる状態で連続している。台座５の裏面には固定用の止め部（雌ネジ）１０を複数、左右対称的に突出し、さらに詳しく言えば茎７と台座５の裏面には図示しないが微妙な凹凸を付けてある。
【００１１】
金属製表札の別例は図５に示すように台座５に小鳥９ａを恰も止まっているかのような状態で連続し、葡萄模擬部６の代わり蔦模擬部６ａを用いたものである。蔦模擬部６ａは茎７に葉８を付けたものである。
【００１２】
鋳造品の表面に色付けしても良く、例えば青銅色、茶色、黒色とすることもできる。青銅色の場合、鋳造品を塩化アンモニウム液に浸し、乾燥させ、表面を綿で掃く作業を数回繰り返して着色し、表面にクリヤラッカーを塗り青銅色を保護する。茶色の場合、鋳造品を丹ぱん酢の液体に浸して乾燥させ、その後、ベンガラを入れたうるしで乾燥品を掃き、表面にろうびきするかワックスしてうるしの艶を出す。黒色の場合は、鋳造品を丹ぱん酢の液体に浸して乾燥させ、その後、ススを入れたうるしで乾燥品を掃き、表面にろうびきするかワックスしてうるしの艶を出す。
【００１３】
金属製表札１を取り付ける場合は図６（イ）に示すように、裏面に付いている左右の止め部１０のピッチに合わせて躯体に穴Ｈをあける。次に、止め部１０の雌ネジよりも一回り小さい雄ネジＮを穴Ｈに差し込むと共に接着剤を注入し、雄ネジＮを接着すると共に雄ネジＨの一端部を躯体の外部に突出させる。突出部分に接着剤を塗り、最後に図６（ロ）に示すように突出部分に止め部１０の雌ネジを差し込んで接着剤で硬化して取付を終了する。
【００１４】
上述した金属製表札１の鋳造方法を図面に基づいて説明する。まず、図１（イ）に示すように、装飾部分用原型１３の裏面部分が嵌る凹部１１を形成した台型１２を作る。この凹部１１によって原型１３の左右の止め部を収容するだけでなく、茎及び台座の裏面の微妙な凹凸を吸収する。台型１２は枠１２ａと、枠１２ａ内に詰めて硬化させた砂１２ｂとから構成され、文字部分３の変更に関係なく、同一デザインの装飾部分用原型１３を用いる場合に使用される。次に図１（ロ）に示すように、凹部１１に装飾部分用原型１３を嵌め込み、装飾部分用原型１３の表面部分を台型１２の上に突出させると共に、文字部分用原型１４を構成する各文字原型１４ａを順番に装飾部分用原型１３の台座１３ａの２次元的な上側に押し当てるというか突き合わせて台型１２の砂１２ｂの上に載せる。装飾部分用原型１３は反復使用可能な材料（例えば鉄等の金属）で作ったもので、茎１３ｂの部分をハンマーで叩いたかのような凹凸を付けたものを用いる。文字部分用原型１４は、溶湯で消失する材料（例えば発泡スチロール）で作ったもので、さらに詳しく言えば、発泡スチロールの板を糸鋸で切り抜いたものである。発泡スチロール製としたのは、氏、名称が色々あるので、安価に製作するためである。次に、図１（ハ）に示すように台型１２の上に表型１５の枠１５ａを台型１２の枠１２ａの上に、凹凸を利用して位置決めして重ね合わせ、表型１５の枠１５ａ内に砂１５ｂを詰めて、文字部分用と装飾部分用の各原型１３，１４を埋める。砂が硬化した後に、図１（ニ）に示すように台型１２から表型１５を外す。外した表型１５をひっくり返すと、図１（ホ）に示すように、文字部分用と装飾部分用の各原型１３，１４が収まった表型１５になる。
【００１５】
次に、図１（ヘ）に示すようにひっくり返した表型１５の上に裏型１６の枠１６ａを、凹凸を利用して位置決めして重ね合わせ、装飾部分用原型１３から離れた箇所にパイプ状又は柱状の注湯口形成材Ｔを起立させて、裏型１６の枠１６ａ内に砂１６ｂを詰め、文字部分用と装飾部分用の原型１３，１４を埋める。すると、図２（ト）に示すように、裏型１６の砂１６ｂの上に注湯口形成材Ｔの上部が突出した形態となる。砂１６ｂが硬化したことを確認してから、図２（チ）に示すように注湯口形成材Ｔを抜き取り、表型１５から裏型１６を外してひっくり返すと、裏型１６には装飾部分用原型１３の裏面側が嵌っていた箇所に凹部１１が出来、抜き取った箇所に注湯口１７が出来ている。そして、図２（リ）に示すように砂を掘って湯道１８を作り、注湯口１７と凹部１１を湯道１８で繋げる。
【００１６】
続いて、図２（ヌ）に示すように表型１５内から装飾部分用原型１３を抜き取る。抜き取り易いように装飾部分用原型１３には、砂に埋没している面を、砂から露出している面よりも狭くする勾配を付けてある。また、抜き取りは、固定用の止め部１０を摘んで引っ張る。そうすると、表型１５内には抜き取り空間１５ｃが形成されると共に、文字部分用原型１４のみが砂に埋没した状態となる。そして、再度、表型１５の上に裏型１６を重ね合わせると（鋳型を閉じると）、抜き取り空間１５ｃと凹部１１が連続した装飾部分用空間が形成される。
【００１７】
この後に図３（ル）に示すように、注湯口１７に真鍮の溶湯１９を注入すると、溶湯の熱によって文字部分用原型１４が溶けて気化して消失し、その消失空間と装飾部分用空間の全域にくまなく溶湯が行き渡る。所定時間経過後に鋳型を壊すと、図３（ヲ）に示すように文字部分３と装飾部分４を平面的に連続させた一体の金属製表札１が取り出される。但し、湯道部分と注湯口部分には残りカス２０が付いているので、湯道部分と装飾部分４の境目を切断して残りカス２０を除去し、最後に、切削加工によって装飾部分４の止め部１０に雌ネジを切って完成する。
【００１８】
金属製表札の製造方法は上記実施形態に限定されない。例えば、湯道１８は掘ることなしに、湯道用の原型を予め装飾部分用原型１３に連続した一体の原型としても良い。また、台型１２は、金属製表札１の装飾部分４の裏面側に微妙な凹凸を付けるために設けたものなので、装飾部分４の裏面側を凹凸のない平らな形態にするのであれば、台型１２を使うことなく平板の上に表型１５の枠１５ａを置き、枠内に装飾部分用原型１３と文字部分用原型１４を並べて砂を詰めて、表型１５を作れば良い。さらに、装飾部分用原型１３の上に文字部分用原型１４を載せて表型１５を作ってもよく、このようにすれば、最終的な金属製表札１は、装飾部分４の上に文字部分３が三次元的に連続する形態となる。
【図面の簡単な説明】
【００１９】
【図１】（イ）〜（ヘ）図は金属製表札の製造方法の前半部分を示す工程図である。
【図２】（ト）〜（ヌ）図は金属製表札の製造方法の中間部分を示す工程図である。
【図３】（ル）（ヲ）図は金属製表札の製造方法の後半部分を示す工程図である。
【図４】（イ）（ロ）（ハ）図は金属製表札の一例を示す正面図、右側面図、Ａ−Ａ線拡大断面図である。
【図５】（イ）（ロ）（ハ）図は金属製表札の一例を示す正面図、右側面図、Ｂ−Ｂ線拡大断面図である。
【図６】（イ）（ロ）図は金属製表札の取付方を示す作業工程図である。
【符号の説明】
【００２０】
３  文字部分
４  装飾部分
７  茎
【図１】
0003115870.tif 000003
【図２】
0003115870.tif 000004
【図３】
0003115870.tif 000005
【図４】
0003115870.tif 000006
【図５】
0003115870.tif 000007
【図６】
0003115870.tif 000008